(57)【要約】【課題】記録品質の低下を抑制し、良好な記録品質を安定して得ることができる記録条件補正方法を提供する。【解決手段】所定のタイミングで光源近傍の温度情報が検出され（ステップ５１７）、その検出された温度情報と予め得られている光源から出射される光ビームの波長の温度特性情報とに基づいて、光源から出射される光ビームの波長に関する情報が取得される（ステップ５１９）。また、情報記録媒体における記録条件の波長依存性情報が取得され（ステップ５２３、５２９）、取得された波長に関する情報と取得された記録条件の波長依存性情報とに基づいて、情報記録媒体に情報を記録する際の記録条件が補正される（ステップ５２５）。これにより、情報を記録する際の光源温度が、前回記録条件を設定したときの光源温度と異なっていても、試し書き領域を消費せずに精度良く記録条件を補正することができる。【選択図】　図７
2004086940.tif 000002
【特許請求の範囲】
【請求項１】
光源から出射された光ビームを用いて情報記録媒体に情報を記録する際の記録条件を補正する記録条件補正方法であって、
所定のタイミングで前記光源近傍の温度情報を検出する第１工程と；
前記検出された温度情報と予め得られている前記光源から出射される光ビームの波長の温度特性情報とに基づいて、前記光源から出射される光ビームの波長に関する情報を取得する第２工程と；
前記情報記録媒体における記録条件の波長依存性情報を取得する第３工程と；前記第２工程で取得された波長に関する情報と、前記第３工程で取得された記録条件の波長依存性情報とに基づいて、前記記録条件を補正する第４工程と；を含む記録条件補正方法。
【請求項２】
前記記録条件は、前記光源の記録パワーを含むことを特徴とする請求項１に記載の記録条件補正方法。
【請求項３】
前記情報記録媒体の所定位置に試し書きを行い、最適な記録パワーを取得する第５工程を更に含み、
前記第４工程では、前記第５工程で取得された前記最適な記録パワーに基づいて前記記録条件を補正することを特徴とする請求項１又は２に記載の記録条件補正方法。
【請求項４】
前記第３工程に先だって、前記情報記録媒体に予め記録されている記録ビームの波長と記録パワーとの関係に関する情報を取得する第６工程を更に含み、
前記第３工程では、前記第６工程にて取得された情報に基づいて、前記記録条件の波長依存性情報を取得することを特徴とする請求項１〜３のいずれか一項に記載の記録条件補正方法。
【請求項５】
光源から出射された光ビームを用いて情報記録媒体に情報を記録する情報記録装置で用いられるプログラムであって、
所定のタイミングで前記光源近傍の温度情報を検出する第１の手順と；
前記検出された温度情報と予め得られている前記光源から出射される光ビームの波長の温度特性情報とに基づいて、前記光源から出射される光ビームの波長に関する情報を取得する第２の手順と；
前記情報記録媒体における記録条件の波長依存性情報を取得する第３の手順と；
前記第２の手順で取得された波長に関する情報と、前記第３の手順で取得された記録条件の波長依存性情報とに基づいて、前記情報記録媒体に情報を記録する際の記録条件を補正する第４の手順と；を前記情報記録装置の制御用コンピュータに実行させるプログラム。
【請求項６】
前記記録条件は、前記光源の記録パワーを含むことを特徴とする請求項５に記載のプログラム。
【請求項７】
前記補正された記録条件に基づいて、前記情報記録媒体に情報の記録を行う第５の手順を前記制御用コンピュータに更に実行させることを特徴とする請求項５又は６に記載のプログラム。
【請求項８】
前記情報記録媒体の所定位置に試し書きを行い、最適な記録パワーを取得する第６の手順を前記制御用コンピュータに更に実行させ、
前記第４の手順として、前記試し書きによって取得された前記最適な記録パワーに基づいて前記記録条件を補正する手順を前記制御用コンピュータに実行させることを特徴とする請求項５〜７のいずれか一項に記載のプログラム。
【請求項９】
前記第３の手順に先だって、前記情報記録媒体に予め記録されている記録ビームの波長と記録パワーとの関係に関する情報を取得する第７の手順を前記制御用コンピュータに更に実行させ、
前記第３の手順として、前記第７の手段にて取得された情報に基づいて、前記記録条件の波長依存性情報を取得する手順を前記制御用コンピュータに実行させることを特徴とする請求項５〜８のいずれか一項に記載のプログラム。
【請求項１０】
請求項５〜９のいずれか一項に記載のプログラムが記録されたコンピュータ読み取り可能な記録媒体。
【請求項１１】
光源から出射された光ビームを用いて情報記録媒体に情報を記録する情報記録装置であって、
前記光源近傍の温度情報を検出する温度検出手段と；
前記光源から出射される光ビームの波長の温度特性情報が格納された第１の記憶手段と；
前記情報記録媒体における記録条件の波長依存性情報を取得する波長情報取得手段と；
前記温度検出手段で検出された温度情報と前記第１の記憶手段に格納されている前記波長の温度特性情報とに基づいて、前記光源から出射される光ビームの波長に関する情報を求める波長取得手段と；
前記波長に関する情報と前記波長情報取得手段で取得された前記記録条件の波長依存性情報とに基づいて、前記情報記録媒体に情報を記録する際の記録条件を補正する補正手段と；
前記補正された記録条件に基づいて、前記情報記録媒体に情報の記録を行う記録手段と；を備える情報記録装置。
【請求項１２】
前記情報記録媒体の所定位置に試し書きを行い、最適な記録パワーを取得する試し書き手段を更に備え、
前記補正手段では、前記試し書き手段で取得された前記最適な記録パワーに基づいて補正することを特徴とする請求項１１に記載の情報記録装置。
【請求項１３】
前記第１の記憶手段には、装置毎に製造工程で前記波長の温度特性を測定した測定結果に応じた情報が格納されていることを特徴とする請求項１１又は１２に記載の情報記録装置。
【請求項１４】
前記情報記録媒体に予め記録されている記録ビームの波長と記録パワーとの関係に関する情報を取得する記録情報取得手段を更に備え、
前記波長情報取得手段は、前記記録情報取得手段にて取得された前記関係に関する情報に基づいて、前記記録条件の波長依存性情報を取得することを特徴とする請求項１１〜１３のいずれか一項に記載の情報記録装置。
【請求項１５】
前記波長情報取得手段は、前記情報記録媒体の種類を取得する種類取得手段と、情報記録媒体の種類毎に記録条件の波長依存性情報が格納されている第２の記憶手段とを備え、前記種類取得手段にて取得された情報記録媒体の種類に応じた記録条件の波長依存性情報を前記第２の記憶手段から取得することを特徴とする請求項１１〜１３のいずれか一項に記載の情報記録装置。
【発明の詳細な説明】
【０００１】
【発明の属する技術分野】
本発明は、記録条件補正方法、プログラム及び記録媒体、並びに情報記録装置に係り、更に詳しくは、情報記録媒体に情報を記録する際の記録条件を補正する記録条件補正方法、情報記録装置で用いられるプログラム及び該プログラムが記録された記録媒体、並びに情報記録媒体に情報を記録する情報記録装置に関する。
【０００２】
【従来の技術】
近年、パーソナルコンピュータは、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、情報記録媒体としてＣＤ（ｃｏｍｐａｃｔ　ｄｉｓｃ）やＤＶＤ（ｄｉｇｉｔａｌ　ｖｅｒｓａｔｉｌｅ　ｄｉｓｃ）などの光ディスクが注目されるようになり、その低価格化とともに、情報記録装置としての光ディスク装置がパーソナルコンピュータの周辺機器の一つとして普及するようになった。光ディスク装置では、光ディスクのスパイラル状又は同心円状のトラックが形成された記録面にレーザ光（レーザビーム）の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するために、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
光ディスクでは、互いに反射率の異なるマーク（ピット）領域及びスペース領域のそれぞれの長さとそれらの組み合わせとによって情報が記録される。そこで、光ディスクに情報を記録する際には所定の位置に所定の長さのマーク領域及びスペース領域がそれぞれ形成されるように光源の発光パワーが制御される。
【０００５】
例えば、記録層に有機色素を含むＣＤ−Ｒ（ＣＤ−ｒｅｃｏｒｄａｂｌｅ）、ＤＶＤ−Ｒ（ＤＶＤ−ｒｅｃｏｒｄａｂｌｅ）、及びＤＶＤ＋Ｒ（ＤＶＤ＋ｒｅｃｏｒｄａｂｌｅ）などの追記型の光ディスク（以下、便宜上「色素型ディスク」という）では、マーク領域を形成するときには発光パワーを大きくして色素を加熱及び溶解し、そこに接している基板部分を変質・変形させている。一方、スペース領域を形成するときには基板が変質・変形しないように発光パワーを再生時と同程度に小さくしている。これにより、マーク領域ではスペース領域よりも反射率が低くなる。
【０００６】
一般的に色素型ディスクでは、レーザ光の波長変化に対する記録感度の変化が比較的大きい。従って、レーザ光の波長が変化すると、マーク領域を形成するときの最適な発光パワー（以下「記録パワー」ともいう）も変化する。また、光ピックアップ装置では、光源の温度が変化すると光源から出射されるレーザ光の波長も変化する。すなわち、光源の温度が変化すると最適な記録パワーは変化することとなる。
【０００７】
そこで、例えば特開２００１−２９７４３７号公報（以下「公知例」という）には、光ピックアップ装置の近傍に温度センサを配置した光記録装置が開示されている。この光記録装置では、記録を行う際に光ピックアップ装置近傍の温度を温度センサで検出し、温度変化が所定の値以上になると、光源から出射されるレーザ光のパルス形状（以下「記録ストラテジ」ともいう）を変更したり、あるいは最適な記録パワーを求めるために試し書き（ＯＰＣ：Ｏｐｔｉｍｕｍ　Ｐｏｗｅｒ　Ｃｏｎｔｒｏｌ）を実行している。
【０００８】
また、追記型の光ディスクには、その光ディスクに最適な記録パワーを検出するための試し書き領域が設けられている。この領域はパワーキャリブレーションエリア（ＰＣＡ：Ｐｏｗｅｒ　Ｃａｌｉｂｒａｔｉｏｎ　Ａｒｅａ）と呼ばれている。例えばＣＤ−Ｒでは、ＰＣＡは１００個のパーティションに分割されたテストエリアを有している。そして、テストエリアの各パーティションは１５個のフレームで構成されている。通常、ＯＰＣでは１つのパーティションを用いて、一定の線速度でフレーム毎に記録パワーを段階的に変化させて所定のデータを試し書きし、その中で最も高い記録品質を示した記録パワーを最適な記録パワーとして選択する。
【０００９】
【発明が解決しようとする課題】
光ピックアップ装置近傍の温度と最適な記録ストラテジとの関係は一義的に決定されるものではなく、光源の特性、情報記録媒体の記録感度、及び記録速度などの影響を大きく受ける。しかしながら、上述した公知例に開示されている光記録装置では、温度変化が所定の値以上になると、温度のみを考慮して記録ストラテジを変更しているため、必ずしも最適な記録ストラテジとはならず、記録品質の低下を招くおそれがあった。
【００１０】
また、上述した公知例に開示されている光記録装置では、温度変化が所定の値以上となる度にＯＰＣを実行しているため、試し書き領域が不足するという不都合があった。
【００１１】
本発明は、かかる事情の下になされたもので、その第１の目的は、記録品質の低下を抑制し、良好な記録品質を安定して得ることができる記録条件補正方法を提供することにある。
【００１２】
また、本発明の第２の目的は、情報記録装置の制御用コンピュータにて実行され、記録品質の低下を抑制し、良好な記録品質を安定して得ることができるプログラム及びそのプログラムが記録された記録媒体を提供することにある。
【００１３】
また、本発明の第３の目的は、記録品質に優れた記録を安定して行うことができる情報記録装置を提供することにある。
【００１４】
【課題を解決するための手段】
請求項１に記載の発明は、光源から出射された光ビームを用いて情報記録媒体に情報を記録する際の記録条件を補正する記録条件補正方法であって、所定のタイミングで前記光源近傍の温度情報を検出する第１工程と；前記検出された温度情報と予め得られている前記光源から出射される光ビームの波長の温度特性情報とに基づいて、前記光源から出射される光ビームの波長に関する情報を取得する第２工程と；前記情報記録媒体における記録条件の波長依存性情報を取得する第３工程と；前記第２工程で取得された波長に関する情報と、前記第３工程で取得された記録条件の波長依存性情報とに基づいて、前記記録条件を補正する第４工程と；を含む記録条件補正方法である。
【００１５】
本明細書において、「温度情報」とは、温度そのものの他、温度の変化量、温度の変化に応じて変化する情報、及び温度に換算することができる情報の全てを含む。また、「波長に関する情報」とは、波長そのものの他、波長の変化量、波長の変化に応じて変化する情報、及び波長に換算することができる情報の全てを含む。
【００１６】
これによれば、所定のタイミングで光源近傍の温度情報が検出され（第１工程）、その検出された温度情報と予め得られている光源から出射される光ビームの波長の温度特性情報とに基づいて、光源から出射される光ビームの波長に関する情報が取得される（第２工程）。また、情報記録媒体における記録条件の波長依存性情報が取得され（第３工程）、第２工程で取得された波長に関する情報と、第３工程で取得された記録条件の波長依存性情報とに基づいて、情報記録媒体に情報を記録する際の記録条件が補正される（第４工程）。従って、例えば情報記録媒体に情報を記録する際の光源の温度が、前回記録条件を設定したときの光源の温度と異なっていても、試し書き領域を消費することなく、最適な記録条件を補正することができる。また、情報を記録する際に試し書きを行う必要がないため、記録処理に要する時間を短縮することができる。さらに、情報記録媒体に情報を記録する直前の光源の温度情報を検出しているために、光源の温度変化による最適な記録条件の変化を精度良く求めることができ、精度の高い記録条件の補正を行うことができる。その結果として、記録品質の低下を抑制し、良好な記録品質を安定して得ることが可能となる。
【００１７】
この場合において、請求項２に記載の記録条件補正方法の如く、前記記録条件は、前記光源の記録パワーを含むこととすることができる。
【００１８】
上記請求項１及び２に記載の各記録条件補正方法において、請求項３に記載の記録条件補正方法の如く、前記情報記録媒体の所定位置に試し書きを行い、最適な記録パワーを取得する第５工程を更に含み、前記第４工程では、前記第５工程で取得された前記最適な記録パワーに基づいて前記記録条件を補正することとすることができる。
【００１９】
上記請求項１〜３に記載の各記録条件補正方法において、請求項４に記載の記録条件補正方法の如く、前記第３工程に先だって、前記情報記録媒体に予め記録されている記録ビームの波長と記録パワーとの関係に関する情報を取得する第６工程を更に含み、前記第３工程では、前記第６工程にて取得された情報に基づいて、前記記録条件の波長依存性情報を取得することとすることができる。かかる場合には、情報記録媒体毎に記録条件の波長依存性情報を直接取得することができ、情報記録媒体毎の特性に応じた補正を行うことが可能となる。
【００２０】
請求項５に記載の発明は、光源から出射された光ビームを用いて情報記録媒体に情報を記録する情報記録装置で用いられるプログラムであって、所定のタイミングで前記光源近傍の温度情報を検出する第１の手順と；前記検出された温度情報と予め得られている前記光源から出射される光ビームの波長の温度特性情報とに基づいて、前記光源から出射される光ビームの波長に関する情報を取得する第２の手順と；前記情報記録媒体における記録条件の波長依存性情報を取得する第３の手順と；前記第２の手順で取得された波長に関する情報と、前記第３の手順で取得された記録条件の波長依存性情報とに基づいて、前記情報記録媒体に情報を記録する際の記録条件を補正する第４の手順と；を前記情報記録装置の制御用コンピュータに実行させるプログラムである。
【００２１】
これによれば、所定のタイミングで光源近傍の温度情報が検出され、その温度情報と予め得られている光源から出射される光ビームの波長の温度特性情報とに基づいて、光源から出射される光ビームの波長に関する情報が求められる。また、情報記録媒体における記録条件の波長依存性情報が取得され、光ビームの波長に関する情報と記録条件の波長依存性情報とに基づいて情報記録媒体に情報を記録する際の記録条件が補正される。従って、例えば情報記録媒体に情報を記録する際の光源の温度が、前回記録条件を設定したときの光源の温度と異なっていても、試し書き領域を消費することなく、最適な記録条件を補正することができる。また、情報を記録する際に試し書きを行う必要がないため、記録処理に要する時間を短縮することができる。さらに、情報記録媒体に情報を記録する直前の光源の温度情報を検出しているために、光源の温度変化による最適な記録条件の変化を精度良く求めることができ、精度良く記録条件を補正することができる。その結果として、記録品質の低下を抑制し、良好な記録品質を安定して得ることが可能となる。
【００２２】
この場合において、請求項６に記載のプログラムの如く、前記記録条件は、前記光源の記録パワーを含むこととすることができる。
【００２３】
上記請求項５及び６に記載の各プログラムにおいて、請求項７に記載のプログラムの如く、前記補正された記録条件に基づいて、前記情報記録媒体に情報の記録を行う第５の手順を前記制御用コンピュータに更に実行させることとすることができる。かかる場合には、記録品質に優れた記録を安定して行うことが可能となる。
【００２４】
上記請求項５〜７に記載の各プログラムにおいて、請求項８に記載のプログラムの如く、前記情報記録媒体の所定位置に試し書きを行い、最適な記録パワーを取得する第６の手順を前記制御用コンピュータに更に実行させ、前記第４の手順として、前記試し書きによって取得された前記最適な記録パワーに基づいて前記記録条件を補正する手順を前記制御用コンピュータに実行させることとすることができる。
【００２５】
上記請求項５〜８に記載の各プログラムにおいて、請求項９に記載のプログラムの如く、前記第３の手順に先だって、前記情報記録媒体に予め記録されている記録ビームの波長と記録パワーとの関係に関する情報を取得する第７の手順を前記制御用コンピュータに更に実行させ、前記第３の手順として、前記第７の手段にて取得された情報に基づいて、前記記録条件の波長依存性情報を取得する手順を前記制御用コンピュータに実行させることとすることができる。かかる場合には、情報記録媒体毎に記録条件の波長依存性情報を直接取得することができ、情報記録媒体毎の特性に応じた補正を行うことが可能となる。
【００２６】
請求項１０に記載の発明は、請求項５〜９のいずれか一項に記載のプログラムが記録されたコンピュータ読み取り可能な記録媒体である。
【００２７】
これによれば、請求項５〜９のいずれか一項に記載のプログラムが記録されているために、コンピュータに実行させることにより、記録品質の低下を抑制し、良好な記録品質を安定して得ることが可能となる。
【００２８】
請求項１１に記載の発明は、光源から出射された光ビームを用いて情報記録媒体に情報を記録する情報記録装置であって、前記光源近傍の温度情報を検出する温度検出手段と；前記光源から出射される光ビームの波長の温度特性情報が格納された第１の記憶手段と；前記情報記録媒体における記録条件の波長依存性情報を取得する波長情報取得手段と；前記温度検出手段で検出された温度情報と前記第１の記憶手段に格納されている前記波長の温度特性情報とに基づいて、前記光源から出射される光ビームの波長に関する情報を求める波長取得手段と；前記波長に関する情報と前記波長情報取得手段で取得された前記記録条件の波長依存性情報とに基づいて、前記情報記録媒体に情報を記録する際の記録条件を補正する補正手段と；前記補正された記録条件に基づいて、前記情報記録媒体に情報の記録を行う記録手段と；を備える情報記録装置である。
【００２９】
これによれば、温度検出手段により、光源近傍の温度情報が検出され、波長情報取得手段により、情報記録媒体における記録条件の波長依存性情報が取得される。そして、波長取得手段により、温度検出手段で検知された温度情報と第１の記憶手段に格納されている波長の温度特性情報とに基づいて、光源から出射される光ビームの波長に関する情報が求められる。続いて補正手段により、波長取得手段で取得された光ビームの波長に関する情報と波長情報取得手段で取得された記録条件の波長依存性情報とに基づいて、情報記録媒体に情報を記録する際の記録条件が補正される。そして、記録手段により、補正手段にて補正された記録条件に基づいて情報記録媒体に情報の記録が行われる。従って、例えば情報記録媒体に情報を記録する際の光源の温度が、前回記録条件を設定したときの光源の温度と異なっていても、試し書き領域を消費することなく、最適な記録条件を補正することができる。また、情報を記録する際に試し書きを行う必要がないため、記録処理に要する時間を短縮することができる。さらに、情報記録媒体に情報を記録する直前の光源の温度情報を検出しているために、光源の温度変化による最適な記録条件の変化を精度良く求めることができ、精度良く記録条件を補正することができる。その結果として、記録品質に優れた記録を安定して行うことが可能となる。
【００３０】
この場合において、請求項１２に記載の情報記録装置の如く、前記情報記録媒体の所定位置に試し書きを行い、最適な記録パワーを取得する試し書き手段を更に備え、前記補正手段では、前記試し書き手段で取得された前記最適な記録パワーに基づいて補正することとすることができる。かかる場合には、記録条件の補正を精度良く行うことができる。
【００３１】
上記請求項１１及び１２に記載の各情報記録装置において、請求項１３に記載の情報記録装置の如く、前記第１の記憶手段には、装置毎に製造工程で前記波長の温度特性を測定した測定結果に応じた情報が格納されていることとすることができる。かかる場合には、例えば光源の製造工程における誤差等に起因する特性のバラツキを吸収し、波長の計算精度が向上するために、正確に記録条件を補正することができる。その結果、記録品質に優れた記録を安定して行うことが可能となる。
【００３２】
上記請求項１１〜１３に記載の各情報記録装置において、請求項１４に記載の情報記録装置の如く、前記情報記録媒体に予め記録されている記録ビームの波長と記録パワーとの関係に関する情報を取得する記録情報取得手段を更に備え、前記波長情報取得手段は、前記記録情報取得手段にて取得された前記関係に関する情報に基づいて、前記記録条件の波長依存性情報を取得することとすることができる。かかる場合には、情報記録媒体毎に記録条件の波長依存性情報を直接取得することができ、情報記録媒体毎の特性に応じた補正を行うことが可能となる。その結果、記録品質に優れた記録を安定して行うことが可能となる。
【００３３】
上記請求項１１〜１３に記載の各情報記録装置において、請求項１５に記載の情報記録装置の如く、前記波長情報取得手段は、前記情報記録媒体の種類を取得する種類取得手段と、情報記録媒体の種類毎に記録条件の波長依存性情報が格納されている第２の記憶手段とを備え、前記種類取得手段にて取得された情報記録媒体の種類に応じた記録条件の波長依存性情報を前記第２の記憶手段から取得することとすることができる。かかる場合には、情報記録媒体に記録条件の波長依存性情報が記録されていない場合であっても、情報記録媒体毎の特性に応じた補正を行うことができる。その結果、記録品質に優れた記録を安定して行うことが可能となる。
【００３４】
【発明の実施の形態】
以下、本発明の一実施形態を図１〜図７に基づいて説明する。
【００３５】
図１には、本発明の一実施形態に係る情報記録装置としての光ディスク装置の概略構成が示されている。
【００３６】
この図１に示される光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０、ＲＡＭ４１、フラッシュメモリ４３（第１の記憶手段、第２の記憶手段）及び温度検出手段としての温度センサ４２などを備えている。なお、図１における矢印は、代表的な信号や情報の流れを示すものであり、各ブロックの接続関係の全てを表すものではない。
【００３７】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、受光器５９、及び駆動系（フォーカシングアクチュエータ、トラッキングアクチュエータ及びシークモータ（いずれも図示省略））などを備えている。
【００３８】
前記光源ユニット５１は、所定の波長の光ビームを発光する光源としての半導体レーザ（図示省略）を含んで構成されている。光源ユニット５１から出射される光ビームの光量は不図示のモニタで検出され、出射光量信号としてレーザコントロール回路２４にフィードバックされている。なお、本実施形態では、光源ユニット５１から出射される光ビームの最大強度出射方向を＋Ｘ方向とする。この光源ユニット５１の＋Ｘ側には、前記コリメートレンズ５２が配置され、光源ユニット５１から出射された光ビームを略平行光とする。
【００３９】
コリメートレンズ５２の＋Ｘ側には、光ディスク１５からの戻り光を−Ｚ方向に分岐するための前記ビームスプリッタ５４が配置されている。このビームスプリッタ５４の＋Ｘ側には、ビームスプリッタ５４を透過した光ビームを集光し、光ディスク１５の記録面に光スポットを形成する前記対物レンズ６０が配置されている。
【００４０】
また、ビームスプリッタ５４の−Ｚ側には、ビームスプリッタ５４で分岐された戻り光を集光する前記検出レンズ５８が配置されている。この検出レンズ５８の−Ｚ側には、前記受光器５９が配置されている。受光器５９としては、通常の光ディスク装置と同様に、４分割受光素子が用いられている。この受光器５９は、光ディスク１５の記録面からの反射光を受光し、通常の光ピックアップ装置と同様に、ウォブル信号情報、再生データ情報、フォーカスエラー情報及びトラックエラー情報などを含む信号を出力する。
【００４１】
上記のように構成される光ピックアップ装置２３の作用を簡単に説明すると、光源ユニット５１から出射された光ビームは、コリメートレンズ５２で略平行光とされた後、ビームスプリッタ５４に入射する。ビームスプリッタ５４を透過した光ビームは、対物レンズ６０を介して光ディスク１５の記録面に微小スポットとして集光される。光ディスク１５の記録面にて反射した反射光は、戻り光として対物レンズ６０で略平行光とされ、ビームスプリッタ５４に入射する。ビームスプリッタ５４で−Ｚ方向に分岐された戻り光は、検出レンズ５８を介して受光器５９で受光される。受光器５９からは、受光量に応じた信号が再生信号処理回路２８に出力される。
【００４２】
図１に戻り、前記再生信号処理回路２８は、光ピックアップ装置の受光器５９からの出力信号に基づいてウォブル信号、ＲＦ信号及びサーボ信号（フォーカスエラー信号、トラックエラー信号）などを検出する。そして、再生信号処理回路２８はウォブル信号からアドレス情報及び同期信号等を抽出する。ここで抽出されたアドレス情報はＣＰＵ４０に出力され、同期信号はエンコーダ２５に出力される。さらに、再生信号処理回路２８はＲＦ信号に対して誤り訂正処理等を行なった後、バッファマネージャ３７を介してバッファＲＡＭ３４に格納する。また、サーボ信号は再生信号処理回路２８からサーボコントローラ３３に出力される。
【００４３】
前記サーボコントローラ３３は、トラックエラー信号に基づいて光ピックアップ装置２３のトラッキングアクチュエータを制御する制御信号を生成し、モータドライバ２７に出力する。また、サーボコントローラ３３は、フォーカスエラー信号に基づいて、光ピックアップ装置２３のフォーカシングアクチュエータを制御する制御信号を生成し、モータドライバ２７に出力する。
【００４４】
前記モータドライバ２７は、サーボコントローラ３３からの制御信号に基づいて、光ピックアップ装置２３のトラッキングアクチュエータ及びフォーカシングアクチュエータを制御する。すなわち、トラッキング制御及びフォーカス制御が行われる。なお、記録処理や再生処理などで光ディスク１５をアクセスしているときには、トラッキング制御及びフォーカス制御は随時行われる。また、モータドライバ２７は、ＣＰＵ４０の指示に基づいてスピンドルモータ２２及び光ピックアップ装置２３のシークモータを制御する。
【００４５】
前記バッファマネージャ３７は、バッファＲＡＭ３４へのデータの入出力を管理し、蓄積されたデータ量が所定の値になるとＣＰＵ４０に通知する。
【００４６】
前記エンコーダ２５は、ＣＰＵ４０の指示に基づいて、バッファＲＡＭ３４に蓄積されているデータをバッファマネージャ３７を介して取り出し、エラー訂正コードの付加等を行なうとともに、光ディスク１５への書き込み信号を生成する。そして、エンコーダ２５は、再生信号処理回路２８からの同期信号に同期して書き込み信号をレーザコントロール回路２４に出力する。
【００４７】
前記レーザコントロール回路２４は、図３に示されるように、ＬＤドライバ２４ａ、パルス設定回路２４ｂ及びパワー設定回路２４ｃなどから構成されている。パルス設定回路２４ｂでは、ＣＰＵ４０からの指示に基づいて、エンコーダ２５からの書き込み信号に対して立ち上がりエッジを調整してパルス幅を変更する。また、パワー設定回路２４ｃは、ＣＰＵ４０からの指示に基づいて記録パワーを設定する。ＬＤドライバ２４ａは、パルス設定回路２４ｂにてパルス調整された書き込み信号及びパワー設定回路２４ｃにて設定された記録パワーに基づいて、光ピックアップ装置２３の半導体レーザの出力を制御する。また、ＬＤドライバ２４ａは、半導体レーザが発光中に光ピックアップ装置２３の不図示のモニタからの出射光量信号に基づいて、半導体レーザの出力をフィードバック制御する。
【００４８】
図１に戻り、前記インターフェース３８は、ホスト（例えばパソコン）との双方向の通信インターフェースであり、ＡＴＡＰＩ（ＡＴ　Ａｔｔａｃｈｍｅｎｔ　Ｐａｃｋｅｔ　Ｉｎｔｅｒｆａｃｅ）及びＳＣＳＩ（Ｓｍａｌｌ　Ｃｏｍｐｕｔｅｒ　Ｓｙｓｔｅｍ　Ｉｎｔｅｒｆａｃｅ）等の標準インターフェースに準拠している。
【００４９】
前記温度センサ４２は、光源ユニット５１の近傍に配置され、光源ユニット５１の近傍での温度情報を検出し、その検出結果をＣＰＵ４０に出力する。
【００５０】
前記ＲＯＭ３９には、ＣＰＵ４０にて解読可能なコードで記述された後述する記録条件を補正するプログラム（以下、「記録条件補正プログラム」という）を含むプログラムが格納されている。なお、光ディスク装置２０の電源がオン状態になると、ＲＯＭ３９に格納されているプログラムは不図示のメインメモリにロードされる。
【００５１】
前記フラッシュメモリ４３には、温度センサ４２での検出結果から得られる温度（以下、便宜上「光源温度」という）と光源ユニット５１から出射される光ビームの波長との関係（以下「温度−波長関係」という）が格納されている。この温度−波長関係は、例えば光ディスク装置２０の製造工程、光ピックアップ装置２３の製造工程、光源ユニット５１の製造工程、及び半導体レーザの製造工程の少なくともいずれかで実測される。なお、本実施形態では、一例として図４に示されるように、波長λと光源温度Ｔとの関係は次の（１）式で示されるものとする。ここで、Ｃ１は係数であり、ｋ１は定数である。また、フラッシュメモリ４３には、光源温度と波長がテーブル形式で格納されても良いが、係数Ｃ１と定数ｋ１が格納されても良い。
【００５２】
λ＝Ｃ１×Ｔ＋ｋ１　……（１）
【００５３】
また、フラッシュメモリ４３には、光ディスクの種類毎（例えばベンダ毎）に、記録ビームの波長と最適記録パワーとの関係（以下「波長−記録パワー関係」という）が格納されている。この波長−記録パワー関係は、光ディスクの種類毎に実測される。なお、本実施形態では、一例として図５に示されるように、光ディスク１５における最適記録パワーＰｗと波長λとの関係は次の（２）式で示されるものとする。ここで、Ｃ２は係数であり、ｋ２は定数である。
【００５４】
Ｐｗ＝Ｃ２×λ＋ｋ２　……（２）
【００５５】
さらに、フラッシュメモリ４３には、温度センサ４２での検出結果と温度との換算表が格納されている。ＣＰＵ４０はこの換算表を参照し、温度センサ４２での検出結果から光源温度を求める。なお、フラッシュメモリ４３に格納されている内容は電源供給が停止されても消えることはない。
【００５６】
次に、光ディスク１５が光ディスク装置の所定位置にセットされたときに、試し書きによって最適な記録パワーを求める処理（以下、便宜上「記録パワー取得処理」という）について図６を用いて説明する。図６のフローチャートは、ＣＰＵ４０によって実行される一連の処理アルゴリズムに対応している。光ディスク１５がセットされると、図６のフローチャートに対応するプログラムの先頭アドレスがＣＰＵ４０のプログラムカウンタにセットされ、記録パワー取得処理がスタートする。
【００５７】
最初のステップ４０１では、光ディスク１５の所定位置に記録されているディスク情報を取得する。
【００５８】
次のステップ４０３では、取得したディスク情報からベンダに関する情報（ベンダ情報）を取得する。
【００５９】
次のステップ４０５では、光ディスク１５のＰＣＡを利用して試し書きを行う。すなわち、所定の線速度で記録パワーを段階的に変化させつつ、所定のデータをＰＣＡに試し書きする。
【００６０】
次のステップ４０７では、試し書きの結果に基づいて最適記録パワー（ここではＰｗ０とする）を求める。すなわち、例えば試し書きされたデータを再生し、その再生信号における上下対称性や振幅に基づいて記録品質を求め、最も高い記録品質を示した記録パワーを最適記録パワーＰｗ０とする。
【００６１】
次のステップ４０９では、温度センサ４２の検出結果から光源温度（ここではＴ０とする）を求める。
【００６２】
次のステップ４１１では、ベンダ情報、最適記録パワーＰｗ０及び光源温度Ｔ０をＲＡＭ４１に記憶する。そして、記録パワー取得処理を終了する。
【００６３】
次に、ホストから記録要求コマンドを受信したときの処理（以下、便宜上「記録制御処理」という）について図７を用いて説明する。図７のフローチャートは、ＣＰＵ４０によって実行される一連の処理アルゴリズムに対応している。ホストから記録要求コマンドを受信すると、図７のフローチャートに対応するプログラムの先頭アドレスがＣＰＵ４０のプログラムカウンタにセットされ、記録制御処理がスタートする。
【００６４】
最初のステップ５０１では、指定された記録速度に基づいてスピンドルモータ２２の回転を制御するための制御信号をモータドライバ２７に出力する。
【００６５】
次のステップ５０３では、ホストから受信した記録データをバッファマネージャ３７を介してバッファＲＡＭ３４に蓄積する。
【００６６】
次のステップ５０５では、ホストから記録要求のコマンドを受信した旨を再生信号処理回路２８に通知する。これにより、再生信号処理回路２８、サーボコントローラ３３及びモータドライバ２７によってトラッキング制御及びフォーカス制御が行われる。また、再生信号処理回路２８からアドレス情報がＣＰＵ４０に通知される。
【００６７】
次のステップ５０７では、アドレス情報に基づいて、指定された書き込み開始地点に光ピックアップ装置２３が位置するように光ピックアップ装置２３のシークモータを制御する信号をモータドライバ２７に出力する。
【００６８】
次のステップ５０９では、エンコーダ２５に書き込み信号の作成を指示する。
【００６９】
次のステップ５１１では、アドレス情報に基づいて光ピックアップ装置２３の位置が書き込み開始地点であるか否かを判断する。ここで、書き込み開始地点であれば、ステップ５１１での判断は肯定されステップ５１３に移行する。
【００７０】
このステップ５１３では、エンコーダ２５に書き込み開始を指示する。これにより、書き込み信号は、レーザコントロール回路２４に出力され、記録条件に基づいて調整された後、光ピックアップ装置の光源ユニット５１に入力される。
【００７１】
次のステップ５１５では、所定量の記録を行う。
【００７２】
次のステップ５１７では、温度センサ４２での検出結果から光源温度（ここではＴ１とする）を求める。
【００７３】
次のステップ５１９では、フラッシュメモリ４３に格納されている温度−波長関係を参照し、次の（３）式に基づいて光源ユニット５１から出射される光ビームの波長変化Δλを算出する。
【００７４】
Δλ＝Ｃ１×（Ｔ１−Ｔ０）　……（３）
【００７５】
次のステップ５２１では、光ディスク１５の所定位置に記録ビームの波長と記録パワーとの関係に関する情報が記録されているか否かを判断する。ここで、光ディスク１５の所定位置に記録ビームの波長と記録パワーとの関係に関する情報が記録されていれば、ステップ５２１での判断は肯定されステップ５２３に移行する。
【００７６】
このステップ５２３では、光ディスク１５の所定位置から記録ビームの波長と記録パワーとの関係に関する情報を取得する。
【００７７】
次のステップ５２５では、算出された波長変化Δλと取得された波長−記録パワー関係とに基づいて最適記録パワー（ここではＰｗ１とする）を算出する。すなわち、次の（４）式に基づいて最適記録パワーＰｗ１を算出する。そして、算出結果をパワー設定回路２４ｃに出力する。これにより、記録パワーの補正が行われる。
【００７８】
Ｐｗ１＝Ｃ２×Δλ＋Ｐｗ０　……（４）
【００７９】
次のステップ５２７では、すべての記録データが書き込まれたか否かを判断する。ここで、記録中であればステップ５２７での判断は否定され、ステップ５１５に戻り、記録が継続される。
【００８０】
一方、ステップ５２１において、、光ディスク１５の所定位置に記録ビームの波長と記録パワーとの関係に関する情報が記録されていなければ、ステップ５２１での判断は否定されステップ５２９に移行する。
【００８１】
このステップ５２９では、光ディスク１５のベンダ情報をキーとして、フラッシュメモリ４３に格納されている波長−記録パワー関係を検索し、光ディスク１５に対応する波長−記録パワー関係を取得する。そして、ステップ５２５に移行する。
【００８２】
また、ステップ５２７において、すべての記録データが書き込まれていれば、ステップ５２７での判断は肯定され、記録制御処理を終了する。
【００８３】
次に、ホストからの再生要求コマンドを受信した際の、光ディスク装置２０の処理動作について簡単に説明する。
【００８４】
ＣＰＵ４０はホストから再生要求コマンドを受信すると、再生速度に基づいてスピンドルモータ２２の回転を制御するための制御信号をモータドライバ２７に出力するとともに、ホストから再生要求コマンドを受信した旨を再生信号処理回路２８に通知する。そして、光ディスク１５の回転が所定の線速度に達すると、トラッキング制御及びフォーカス制御が行われる。また、再生信号処理回路２８はアドレス情報を検出し、ＣＰＵ４０に通知する。
【００８５】
ＣＰＵ４０はアドレス情報に基づいて、指定された読み込み開始地点に光ピックアップ装置２３が位置するようにシークモータを制御する信号をモータドライバ２７に出力する。ＣＰＵ４０はアドレス情報に基づいて、光ピックアップ装置２３の位置が読み込み開始地点であると判断すると、再生信号処理回路２８に通知する。
【００８６】
そして、再生信号処理回路２８は、受光器５９の出力信号に基づいてＲＦ信号を検出し、誤り訂正処理等を行った後、バッファＲＡＭ３４に蓄積する。バッファマネージャ３７は、バッファＲＡＭ３４に蓄積された再生データがセクタデータとして揃ったときに、インターフェース３８を介してホストに転送する。
【００８７】
以上の説明から明らかなように、本実施形態に係る光ディスク装置では、フラッシュメモリ４３、ＣＰＵ４０及び該ＣＰＵ４０によって実行されるプログラムとによって、波長情報取得手段が実現されている。また、ＣＰＵ４０及び該ＣＰＵ４０によって実行されるプログラムとによって、波長取得手段、補正手段、記録手段、試し書き手段が実現されている。すなわち、図７のステップ５１９の処理によって波長取得手段が、ステップ５２５の処理によって補正手段が、ステップ５１５の処理によって記録手段が、図６のステップ４０５及び４０７の処理によって試し書き手段が、ステップ４０１及び４０３の処理によって種類取得手段が実現されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【００８８】
また、本実施形態では、ＲＯＭ３９にインストールされているプログラムのうち、図６及び図７のフローチャートで示される処理に対応するプログラムによって前記記録条件補正プログラムが構成されている。すなわち、図７のステップ５１７の処理に対応するプログラムによって第１の手順が、ステップ５１９の処理に対応するプログラムによって第２の手順が、ステップ５２３及びステップ５２９の処理に対応するプログラムによって第３の手順が、ステップ５２５の処理に対応するプログラムによって第４の手順が、ステップ５１５の処理に対応するプログラムによって第５の手順が、図６のステップ４０５及び４０７の処理に対応するプログラムによって第６の手順が、図７のステップ５２３の処理に対応するプログラムによって第７の手順が構成されている。
【００８９】
そして、図７のステップ５１７の処理によって本発明に係る記録条件補正方法の第１工程が実施され、ステップ５１９の処理によって第２工程が実施され、ステップ５２３及びステップ５２９の処理によって第３工程が実施され、ステップ５２５の処理によって第４工程が実施されている。また、図６のステップ４０５及び４０７の処理によって第５工程が実施され、図７のステップ５２３の処理によって第６工程が実施されている。
【００９０】
以上説明したように、本実施形態に係る光ディスク装置及び記録条件補正方法によると、記録の際に、光源温度を検知し、フラッシュメモリ４３に格納されている光源ユニット５１から出射される光ビームの波長の温度特性情報に基づいて、光源ユニット５１から出射される光ビームの波長変化を算出している。そして、算出された波長変化とフラッシュメモリ４３に格納されている光ディスクにおける記録パワ−の波長依存性情報とに基づいて記録パワーを補正している。従って、光ディスクに記録する際の光源温度が、前回記録パワーを設定したときの光源温度と異なっていても、試し書き領域を消費することなく、記録パワーを精度良く補正することができる。また、記録する際に試し書きを行う必要がないため、記録処理に要する時間を短縮することができる。さらに、光ディスクに記録する直前の光源温度を検出しているために、光源温度の変化による最適な記録パワーの変化を精度良く求めることができ、精度良く記録パワーを補正することができる。その結果として、記録品質の低下を抑制し、良好な記録品質を安定して得ることが可能となる。
【００９１】
また、本実施形態によると、光ディスクが光ディスク装置にセットされたときに、光ディスクの種類を取得し、光ディスクの種類に応じた波長−記録パワー関係を取得している。そのために、例えば光ディスクの種類によって、記録層の厚さやトラックピッチの幅などが異なっていても、光ディスクの種類毎に、その特性に応じて精度良く記録パワーを補正することができる。なお、光ディスクの種類の取得タイミングは、光ディスクが光ディスク装置にセットされたときに限られるものではなく、光ディスクの種類に応じた波長−記録パワー関係を取得する前に得られていれば良い。
【００９２】
また、本実施形態によると、光ディスク１５の所定位置に記録ビームの波長と記録パワーとの関係に関する情報が記録されている場合には、その情報に基づいて最適記録パワーを補正している。従って、光ディスク毎に記録条件の波長依存性情報を直接取得することができ、光ディスク毎の特性に応じた補正を行うことが可能となる。
【００９３】
また、本実施形態によると、光ディスク１５の所定位置に記録ビームの波長と記録パワーとの関係に関する情報が記録されていない場合には、光ディスク１５のベンダ情報をキーとして、フラッシュメモリ４３に格納されている波長−記録パワー関係を検索し、光ディスク１５に対応する波長−記録パワー関係を取得するとともに、その関係に基づいて最適記録パワーを補正している。従って、光ディスクの種類によって、光ディスクの記録層の厚さやトラックピッチの幅などが異なっていても、光ディスクの種類毎に、その特性に応じて精度良く記録条件を補正することができる。
【００９４】
また、本実施形態によると、フラッシュメモリ４３に格納されている温度−波長関係は、光ディスク装置２０の製造工程、光ピックアップ装置２３の製造工程、光源ユニット５１の製造工程、及び半導体レーザの製造工程の少なくともいずれかでの測定結果に応じた情報である。従って、例えば半導体レーザの製造工程における誤差等に起因する特性のバラツキを吸収することができる。これにより、波長の計算精度が向上し、正確に記録条件を補正することができる。その結果、記録品質に優れた記録を安定して行うことが可能となる。
【００９５】
また、本実施形態に係る光ディスク装置によると、記録に際して、最適記録パワーの温度補正が精度良く行われるために、記録品質に優れた記録を安定して行うことが可能となる。
【００９６】
なお、上記実施形態では、前記温度−波長関係を一次式で近似する場合について説明したが、これに限らず多項式で近似しても良い。この場合には、光源ユニット５１から出射される光ビームの波長変化は前記（３）式とは異なる式を用いて算出されることとなる。
【００９７】
また、上記実施形態では、前記波長−記録パワー関係を一次式で近似する場合について説明したが、これに限らず多項式で近似しても良い。この場合には、最適な記録パワーは前記（４）式とは異なる式を用いて算出されることとなる。
【００９８】
また、上記実施形態において、フラッシュメモリ４３には、波長の温度特性情報として、光源温度と波長とがテーブル形式で格納されても良いが、近似式における係数Ｃ１と定数ｋ１とが格納されても良い。同様に、フラッシュメモリ４３には、記録パワーの波長依存性情報として、最適記録パワーと波長とがテーブル形式で格納されても良いが、近似式における係数Ｃ２と定数ｋ２とが格納されても良い。
【００９９】
また、上記実施形態では、記録条件が記録パワーの場合について説明したが、これに限らず、例えばパルス幅であっても良い。
【０１００】
また、上記実施形態では、一定量の記録を行う度に記録パワーを補正する場合について説明したが、本発明がこれに限定されるものではない。例えば光源温度の変化が所定の値以上となったときに記録パワーを補正しても良い。あるいは、記録するデータ量に応じて、補正のタイミングを変更しても良い。例えばデータ量が少ない場合には、記録の直前に１回だけ記録パワーを補正しても良い。
【０１０１】
また、上記実施形態では、情報の記録及び再生が可能な光ディスク装置について説明したが、これに限らず、情報の記録、再生及び消去のうち少なくとも記録が可能な光ディスク装置であれば良い。
【０１０２】
また、上記実施形態では、光源が１つの場合について説明したが、本発明がこれに限定されるものではない。例えば波長が４０５ｎｍの光ビームを出射する光源、波長が６５０ｎｍの光ビームを出射する光源及び波長が７８０ｎｍの光ビームを出射する光源のうち少なくとも２つの光源が用いられても良い。この場合に、温度の影響が顕著な光源に関してのみ温度補正を行っても良いが、全ての光源に関して光源毎に温度補正を行うのが望ましい。
【０１０３】
また、上記実施形態では、前記記録条件補正プログラムは、ＲＯＭ３９に記録されているが、他の記録媒体（ＣＤ−ＲＯＭ、光磁気ディスク、フラッシュメモリ、フレキシブルディスク等）に記録されていても良い。この場合には、各記録媒体に対応するドライブ装置を付加し、各ドライブ装置から記録条件補正プログラムをインストールすることとなる。要するに、記録条件補正プログラムがＣＰＵ４０のメインメモリにロードされれば良い。
【０１０４】
【発明の効果】
以上説明したように、本発明に係る記録条件補正方法によれば、記録品質の低下を抑制し、良好な記録品質を安定して得ることができるという効果がある。
【０１０５】
また、本発明に係るプログラム及び記録媒体によれば、情報記録装置の制御用コンピュータにて実行され、記録品質の低下を抑制し、良好な記録品質を安定して得ることができるという効果がある。
【０１０６】
また、本発明に係る情報記録装置によれば、記録品質に優れた記録を安定して行うことができるという効果がある。
【図面の簡単な説明】
【図１】本発明の一実施形態に係る光ディスク装置の構成を示すブロック図である。
【図２】図１における光ピックアップ装置の詳細構成を説明するためのブロック図である。
【図３】図１におけるレーザコントロール回路の詳細構成を説明するためのブロック図である。
【図４】光源ユニットから出射される光ビームの波長と光源温度との関係を説明するための図である。
【図５】光ディスクに情報を記録する際に照射される光ビームの波長と最適な記録パワーとの関係を説明するための図である。
【図６】ベンダ情報及び最適記録パワーを求める処理を説明するためのフローチャートである。
【図７】本発明に係る記録条件補正処理を説明するためのフローチャートである。
【符号の説明】
１５…光ディスク（情報記録媒体）、２０…光ディスク装置（情報記録装置）、３９…ＲＯＭ（記録媒体）、４０…ＣＰＵ（波長取得手段、補正手段、記録手段、試し書き手段、記録情報取得手段、種類取得手段）、４２…温度センサ（温度検出手段）、４３…フラッシュメモリ（第１の記憶手段、第２の記憶手段）。
【図１】
2004086940.tif 000003
【図２】
2004086940.tif 000004
【図３】
2004086940.tif 000005
【図４】
2004086940.tif 000006
【図５】
2004086940.tif 000007
【図６】
2004086940.tif 000008
【図７】
2004086940.tif 000009